(57)【要約】      （修正有）【課題】植物の水耕栽培において、少人員でも効率的に計測管理できる水槽管理システムを提供する。【解決手段】水槽管理システム１００は、異なる種別の植物の水耕栽培が可能であり、それぞれ内部に液体が貯留可能な複数の水槽と、水槽内に貯留されている液体の水温を計測する水温制御部３ａ、３ｂと、水槽内に貯留されている液体の電気伝導値を計測するＥＣ制御部４ａ、４ｂと、水槽内に貯留されている液体のＰＨ値を計測するＰＨ計測部５と、水温制御部３ａ、３ｂ、ＥＣ制御部４ａ、４ｂおよびＰＨ計測部５の計測結果を近距離無線通信手段を介して受信する制御装置１と、を有する。【選択図】図１
0003230028.tif 000002
【実用新案登録請求の範囲】
【請求項１】
異なる種別の植物の水耕栽培が可能であり、それぞれ内部に液体が貯留可能な複数の水槽と、
前記水槽内に貯留されている液体の水温を計測する第１の計測部と、
前記水槽内に貯留されている液体の電気伝導値を計測する第２の計測部と、
前記水槽内に貯留されている液体のＰＨ値を計測する第３の計測部と、
前記第１の計測部、第２の計測部および第３の計測部の計測結果を近距離無線通信手段を介して受信する制御装置と、
を有することを特徴とする水槽管理システム。
【請求項２】
前記各水槽に取り付けられる骨伝導スピーカをさらに有する請求項１に記載の水槽管理システム。
【考案の詳細な説明】
【技術分野】
【０００１】
本考案は水槽管理システムに関する。
【背景技術】
【０００２】
貯留養液を栽培しようとする植物の根基に循環させ、植物に吸収させて育成させる水耕栽培が知られている。例えば、栽培容器にスピーカを内蔵し、音楽を再生する方法が知られている。
【先行技術文献】
【特許文献】
【０００３】
【特許文献１】特開２０１５−２７０７号公報
【考案の概要】
【考案が解決しようとする課題】
【０００４】
ビニールハウス内の水耕栽培では、気温や水温などの外的・気候的な要因の他、水槽のＰＨ（Potential of Hydrogen）値、ＥＣ（Electric Conductivity：電気伝導）値等の養液・養分に関わる要因、野菜や果実の病気的な要因、等様々な要素を一元的に管理することが求められている。
【０００５】
また、ビニールハウス内では、電気的な要因（電源の位置、コンセント等）、ＷｉＦｉ（Wireless Fidelity）等のネットワーク環境も管理対象となる。
【０００６】
ＰＨ、ＥＣの計測をする際には、作業者が計測器を携帯して目的の場所に出向く。計測の際、計測値は計測器のメーター上の表示板（LCD）に表示される。そして、作業者が手作業で計測結果をノート等にメモしている。
ＰＨ値、ＥＣ値を同時に表示できない計測器では、１つの水槽のＰＨを計測した後に、そのまま計測器のスイッチを切替え、ＥＣ値を計測する。
【０００７】
メーター本体とセンサが一体になっている計測器では、計測の際にメーターを図りたい場所に移動しようとすると、野菜や果実が繁茂している生産現場では、移動自体に時間が掛かり、計測が容易でない場合がある。
また、本体から電極部分がケーブルで接続されている場合も同様に、電極部分を水槽に浸す作業も容易ではない。
【０００８】
１つの水槽毎に水温やＰＨ値、ＥＣ値などを計測する方式の場合、多数の水槽を対象とした作業では水槽の数だけ作業時間が増大する。このためハウス内（または建物）に設置された水槽の計測は大変な作業になる。
１つの側面では、本考案は、少人員でも効率的に計測管理できるシステムを構築することを目的とする。
【課題を解決するための手段】
【０００９】
上記目的を達成するために、開示の水槽管理システムが提供される。この水槽管理システムは、異なる種別の植物の水耕栽培が可能であり、それぞれ内部に液体が貯留可能な複数の水槽と、水槽内に貯留されている液体の水温を計測する第１の計測部と、水槽内に貯留されている液体の電気伝導値を計測する第２の計測部と、水槽内に貯留されている液体のＰＨ値を計測する第３の計測部と、第１の計測部、第２の計測部および第３の計測部の計測結果を近距離無線通信手段を介して受信する制御装置と、を有している。
【考案の効果】
【００１０】
１態様では、少人員でも効率的に計測管理できるシステムを構築することができる。
【図面の簡単な説明】
【００１１】
【図１】実施の形態の水槽管理システムを示す図である。
【図２】水槽グループを説明する図である。
【図３】データベースに記憶される情報の一例を示す図である。
【図４】実施の形態の管理者用ＰＣのハードウェア構成を示す図である。
【考案を実施するための形態】
【００１２】
以下、実施の形態の水槽管理システムを、図面を参照して詳細に説明する。
＜実施の形態＞
図１は、実施の形態の水槽管理システムを示す図である。
【００１３】
水槽管理システム１００は、野菜、果実等ハウス内に設置した水槽で水耕栽培するとき、水槽の水温やＰＨなどを数値的に管理、目視化し、適切な栽培管理が行えることを目的の１つとしている。
水槽管理システム１００は、制御装置１と、データベース２と、を有している。
【００１４】
制御装置１は、水槽管理システム１００が備える各種センサが検出した値（計測値）をネットワーク５１を介して収集する。制御装置１としては、例えば１ＧＢのメモリと１６ＧＢの記憶媒体（フラッシュメモリ等）を搭載したラズベリーパイ（Raspberry Pi）４Ｂ等が挙げられる。各種センサとしては、後述する気温センサ、水温センサ、ＥＣセンサ等が挙げられる。また、ネットワーク５１としては、例えばＷｉＦｉやＢｌｕｅｔｏｏｔｈ（登録商標）等の近距離無線通信手段が挙げられる。
【００１５】
制御装置１は、収集した計測値を、グラフなど可視化できるように加工する。加工された計測値は、インターネット等のネットワーク５２を介してＰＣ（Personal Computer)に接続されるモニタやスマートフォン等で参照することができる。
【００１６】
制御装置１は、各センサが検出した値をデータベース２に転送する。データベース２は、例えば１ＴＢ程度のハードディスク（Hard Disk drive）を有している。データベース２を管理するシステムとしては、例えば、PostgreSQL等が挙げられる。データベース２に取得したデータを蓄積していくことにより、計測の現在値だけでなく、過去のデータの履歴なども参照可能となる。
【００１７】
また、制御装置１は、収集した各時点の計測値だけではなく、例えば２０分単位の計測値の平均値を算定してデータベース２に転送するようにしてもよい。データベース２に記録される計測値等は累積するため、ＡＩ（人工知能）や機械学習などでデータ分析が容易になる。
【００１８】
なお、データベース２に記憶される情報を、ハードディスク等の記憶媒体にバックアップするようにしてもよい。同じネットワーク５１上にデータベース２のバックアップサーバを構築できるので、日々のデータを保存管理できる。
【００１９】
また、制御装置１は、各種センサを校正する機能を有している。各種センサの校正は、例えば、複数のセンサで取得した値を互いに照合したり、センサで取得した値を校正用に計測した値と照合したりすることにより実現できる。また、校正値の外部入力による校正も可能である。
【００２０】
水槽管理システム１００は、水槽グループ３０、４０を有している。水槽グループ３０、４０は、それぞれ複数の水槽を備えている。本実施の形態では２つの水槽グループ３０、４０を図示しているが、水槽グループは１つでもよいし３つ以上でもよい。水槽グループ３０、４０は、栽培物を風雨や霜等から守ったり、温度や湿度を一定に保ったりする空間内に配置されていてもよい。この空間は、例えばビニールハウス等であってもよいし、屋根で覆われた空間を形成するものであってもよい。
【００２１】
水槽管理システム１００は、水温制御部３ａ、３ｂとＥＣ制御部４ａ、４ｂとＰＨ計測部５と各種計測部６とを有している。水温制御部３ａ、３ｂ、ＥＣ制御部４ａ、４ｂ、ＰＨ計測部５、各種計測部６を実現するハードウェアとしては、例えばラズベリーパイ等が挙げられる。
水温制御部３ａ、３ｂ、ＥＣ制御部４ａ、４ｂ、ＰＨ計測部５、および各種計測部６は、それぞれネットワーク５１を介して制御装置１に接続されている。
【００２２】
水槽制御部３ａ、３ｂは、水槽グループ毎に１つ配置される。例えば水温制御部３ａは、水槽グループ３０の水槽の水温を計測する。ＥＣ制御部４ａ、４ｂは、水槽グループ毎に１つ配置される。例えばＥＣ制御部４ａは、水槽グループ３０の水槽内のＥＣ（電気伝導値）を計測する。ＰＨ計測部５は、水槽内のＰＨを計測する。以下、水槽グループ３０の構造を説明するが、水槽グループ４０も水槽グループ３０と同様の構造で実現できる。
図２は、水槽グループを説明する図である。
【００２３】
本実施の形態では、水槽グループ３０は、４つの水槽３１、３２、３３、３４を有している。水槽の数は、４つに限定されない。水槽３１、３２、３３、３４は、それぞれ二重構造となっており、それぞれ内槽と、内槽より一回り大きな外槽とを有している。
【００２４】
水槽３１、３２、３３、３４の内槽には、液体肥料（養液）が張られている。外槽には普通の水が張られている。これらの内槽の中には、水耕栽培の作物（例えば、花、野菜、果実、稲や麦等の穀物等）が栽培されている。
【００２５】
また、水槽３１、３２、３３、３４内にはそれぞれ例えばステンレス鋼製の平板（共鳴板）が配置されている。この共鳴板上には、それぞれ防水型の骨伝導スピーカ６１、６２、６３、６４が固定されている。骨伝導スピーカ６１、６２、６３、６４は、音源信号を振動に変換し、水槽内に伝達する。図２では、水槽毎に１つの骨伝導スピーカが設けられている。
【００２６】
また、水槽グループ３０は、図示しない音源信号受信装置を有している。音源信号受信装置は、水槽３１〜３４に設けられた骨伝導スピーカから同じ音楽を再生させることができる。外部から、任意の曲目を任意の時間帯に流すことにより、音楽を水中で共鳴させ、作物の成長を助長させることができる。
【００２７】
水槽３１、３２、３３、３４それぞれの内槽と外槽には水温センサが設置されている。例えば水槽３１には、外槽の水温を計測する水温センサ３ａ１と、内槽の水温を計測する水温センサ３ｂ１が設置されている。水温センサ３ｃ１、３ｄ１、３ｅ１、３ｆ１、３ｇ１、３ｈ１についても同様である。
【００２８】
また、各水槽の内槽には、ＥＣセンサが配置されている。例えば水槽３１には、ＥＣセンサ４ａ１が配置されている。本実施の形態のＥＣセンサ４ａ１は、電極の役割を果たす２枚の銅板を有している。ＥＣセンサ４ｂ１、４ｃ１、４ｄ１についても同様である。
【００２９】
水槽グループ３０は、気温センサ３ｉ１を有している。気温センサ３ｉ１は、水槽グループ３０近傍に配置されている。気温センサ３ｉ１は、水槽グループ３０周辺の気温、湿度、および気圧を計測する。
【００３０】
水温制御部３ａは、水槽毎に設置された水温センサ３ａ１〜３ｈ１、気温センサ３ｉ１を制御して、定間隔でこれらセンサから取得した計測値を制御装置１に転送する。なお、水温制御部３ａをラズベリーパイで形成した場合、各センサのデータ計測はパイソン言語で作成した個別のプログラムで実行可能である。
【００３１】
ＥＣ制御部４ａは、水槽毎に設置されたＥＣセンサ４ａ１〜４ｄ１を制御して、定間隔でＥＣセンサから取得した計測値を制御装置１に転送する。再び図１に戻って説明する。
また、制御装置１には、ネットワーク５２を介して、管理者用ＰＣ７が接続されている。管理者は、管理者用ＰＣ７を操作することにより制御装置１、水温制御装置３ａ、３ｂ、ＥＣ制御部４ａ、４ｂ、およびＰＨ計測部５にアクセスしてこれら装置の保守（例えばセンサの校正等）を行う。また、管理者は、管理者用ＰＣ７を操作することにより、管理者用ＰＣ７に接続されるモニタにｗｅｂブラウザを表示させて現場にて日々発生するデータを管理、把握できる。
【００３２】
ＰＨ計測部５は、水槽毎に計測したＰＨ値を制御装置１に転送する。
ＰＨ計測部５は、計測したＰＨ値を表示するＬＣＤ（Liquid Crystal Display）を有している。
ＰＨ計測部５には、リチウム電池が接続されている。リチウム電池を接続することにより、近くに電源がなくても計測が可能となる。なお、水温制御部３ａ、３ｂやＥＣ制御部４ａ、４ｂも予備電源としてリチウム電池を搭載した構成となっていてもよい。
【００３３】
ＰＨ計測部５には、ＰＨセンサ５ａが接続されている。ＰＨセンサ５ａは、ガラス管電極を利用したＰＨ値を計測するセンサである。ＰＨを計測する際には、計測者がＰＨセンサ５ａに設けられた把持部を把持して電極部分を水槽に浸すことにより計測を行う。本実施の形態では、ＰＨセンサ５ａの電極部分を、３０ｃｍ程度の筒状としている。これにより、ある程度離れた位置からでも電極部分を水槽に浸すことができる。従って、計測の度に水槽に体を近づけて、腰を曲げたりするような計測器を用いる場合に比べ、作業環境の改善や効率化が図れる。
本実施の形態のＰＨ値は、最初にＰＨ値の校正を校正し、その後計測を約６０秒間行い、平均値を計測値とする。
【００３４】
また、ＰＨ計測部５には、赤外線リモコン５ｂが接続されている。赤外線リモコン５ｂは、計測者が操作するリモコンであり、ＰＨ計測時に、計測対象となる水槽の番号を指定したり、ＰＨ計測部５に計測を開始させたりする。
【００３５】
また、ＰＨ計測部５には、水温センサ５ｃが接続されている。水温センサ５ｃの機能は、水温センサ３ａ１〜３ｈ１と同様である。ＰＨ計測と同時に水温センサ５ｃにて各水槽の内槽の水温を計測する。
【００３６】
なお，図示していないが、水槽内にコンデンサーマイクを配置し、水中に設置された骨伝導スピーカの音の振動を電圧の変化に変換するようにしてもよい。ＰＨメータに付属させたコンデンサーマイクを使って音の振動を電圧の変化に変換するようにしてもよい。そして、これらの電圧の変化を制御装置１に送信することにより、水中の音量や、水中に設置された骨伝導スピーカが正常に稼働しているか等を可視化することができる。
【００３７】
各種計測部６には、カメラ６ａが接続されている。カメラ６ａは、水槽グループ３０や水槽グループ４０の水耕栽培の作物の葉や実を撮像し、撮像した静止画像や動画像を制御装置１に送る。
【００３８】
また、各種計測部６には照度センサ６ｂが接続されている。照度センサ６ｂは、水槽グループ３０や水槽グループ４０近傍の照度（明るさ）を計測し、制御装置１に送る。
【００３９】
また、各種計測部６にはＣＯ２センサ６ｃが接続されている。ＣＯ２センサ６ｃは、水槽グループ３０や水槽グループ４０近傍のＣＯ２の濃度を計測し、制御装置１に送る。
【００４０】
なお、水槽には、水槽を識別する水槽番号（ＩＤ）が割り振られている。また、気温センサ、温度センサ、気圧センサ、水温センサ等には、個々のセンサを他のセンサと識別する識別番号（ＩＤ）が割り振られている。これらの識別番号に関する情報は、制御装置１に予め設定されて記憶されている。これにより、例えばどの水槽にどの水温センサおよびＥＣセンサが取り付けられているのかを識別することができる。
次に、水槽管理システム１００の動作を簡単に説明する。
【００４１】
水温制御部３ａは、一定時間（例えば５分毎）に、内槽および外槽に配置された各水温センサが検出した水温計測値に、計測日時と水温センサの識別情報を関連づけた水温計測情報を制御装置１に送信する。
制御装置１は、水温計測情報をネットワーク５１を通して受信する。
制御装置１は、受信した水温計測情報に含まれる水温計測値を、水槽番号、日時とともにデータベース２に記憶する。
【００４２】
また、水温制御部３ａ、３ｂは、気温センサが検出した気温、湿度、気圧に、計測日時と気温センサの識別情報を関連づけた周囲環境計測情報を制御装置１に送信する。気温、湿度、気圧は例えば５分毎に計測する。
制御装置１は、周囲環境計測情報をネットワーク５１を通して受信する。
制御装置１は、受信した周囲環境計測情報に含まれる気温、湿度、気圧を、水槽グループ番号、日時とともにデータベース２に記憶する。
【００４３】
ＥＣ制御部４ａ、４ｂは、水槽毎に設置されたＥＣセンサが検出したＥＣ値に、計測日時とＥＣセンサの識別情報を関連づけたＥＣ計測情報を制御装置１に送信する。ＥＣ値は例えば１日に２回計測する。
制御装置１は、ネットワーク５１を通してＥＣ計測情報を受信する。
制御装置１は、受信したＥＣ計測情報に含まれるＥＣ計測値を、水槽番号、日時とともにデータベース２に記憶する。
ＰＨの計測は任意のタイミングで実行される。
【００４４】
ＰＨ計測部５は、管理者のＰＨの計測を受け付けると、内槽および外槽に配置された各ＰＨセンサが検出したＰＨ計測値に、計測日時と水温センサの識別情報を関連づけたＰＨ計測情報を制御装置１に送信する。管理者は、水槽番号およびＰＨ計測開始のタイミングを指定することで、ＰＨ計測部５は、指定された水槽のＰＨセンサの値だけを計測できる。
【００４５】
制御装置１は、水温センサ５ｃの計測値から各内槽の水温センサ３ｂ１、３ｄ１、３ｆ１、３ｈ１の水温を補正（水温センサ３ｂ１、３ｄ１、３ｆ１、３ｈ１を校正）することができる。
図３は、データベースに記憶される情報の一例を示す図である。
データベース２には、センサ情報を格納するセンサ情報管理テーブルＴ１と、計測情報を格納する計測情報管理テーブルＴ２が設けられている。
センサ情報管理テーブルＴ１には、例えば以下の情報が格納される。
【００４６】
（１）水槽グループ３０、４０毎に水温制御部、ＥＣ制御部の情報、これら制御部に接続されているセンサの情報等。センサ情報は、センサの種類、センサの個別ＩＤ（および水槽の位置等）、補正値、校正値等が挙げられる。
（２）水槽グループ３０、４０毎に付された管理番号。
計測値テーブルＴ２には、例えば以下の情報が格納される。
センサ毎に計測した日時、センサの種類、センサのＩＤ、計測値等。計測開始から継続的にデータが累積される。
【００４７】
以上述べたように、実施の形態の水槽管理システム１００は、異なる種別の植物の水耕栽培が可能であり、それぞれ内部に液体が貯留可能な複数の水槽と、水槽内に貯留されている液体の水温を計測する水温制御部３ａ、３ｂと、水槽内に貯留されている液体の電気伝導値を計測するＥＣ制御部４ａ、４ｂと、水槽内に貯留されている液体のＰＨ値を計測するＰＨ計測部５と、水温制御部３ａ、３ｂ、ＥＣ制御部４ａ、４ｂおよびＰＨ計測部５の計測結果を近距離無線通信手段を介して受信する制御装置１と、を有する。従って、例えば以下（１）〜（１１）の効果が得られる。
【００４８】
（１）Ｗｉｆｉネットワークを活用し、計測したセンサ値（ＰＨ値等）をＰＨ計測部５のＬＣＤに表示し、制御装置１に転送する。このため、作業の効率化を図れる。
（２）また、計測値をデータベース２に蓄積するため、過去のデータの分析などが容易に行える。
【００４９】
（３）水槽管理システム１００は、野菜、果実の生育管理に関する水温、湿度、ＥＣ値等を、任意の時間帯で自動計測できるため、作業者が計測のための作業時間を省略でき、他の作業にその時間を振り向けることができる。
【００５０】
（４）また、１日に複数回の計測ができるため、１日単位の変動、１０日（旬）単位、１カ月単位の変動などを、常時監視できる。このため、効率的な生産環境の整備が可能になる。当年度、およびそれ以前から継続して取得した計測値を使用し、次年度以降の栽培の資料とすることができる。
（５）多数の水耕栽培用水槽の水温、気温、気圧、湿気、ＥＣ/ＰＨ（以下「管理項目」と言う）を同時に計測し監視することができる。
【００５１】
（６）各水槽で計測された管理項目の数値を、ＷｉＦｉやブルートゥースを利用して、インターネット回線を介して管理用ＰＣ７にデータを送り、管理用ＰＣ７で生産状況をＡＩに分析させることで、生産者は生育状態の良し悪しをコンピュータに代行管理することができる。
【００５２】
（７）上記（５）が構築できれば、コンピュータで一元化され管理されている管理項目の数値を、図示していない他のパソコンやスマートフォンに表形式にしてフィードバックさせることで、生産者は離れた場所からでも生育状況を監視することができるので、生産現場に常時いる必要はなくなる。
【００５３】
（８）上記（６）が構築できれば、このシステムに参加する生産者は、お互いが生産している生産物の生育状況を共有化できる。従って、単に生育を向上させるだけの技術的知識だけでなく、病虫害による作物被害の情報も共有することができる。
【００５４】
（９）野菜、果実、麦芽等を作物毎に別々に管理項目を計測できるため、サーバにその計測データを送るだけで、膨大なデータを分類管理できる。従って、農業経験の浅い深いにかかわらず、生産者は容易に生産性の向上を図れる。
【００５５】
（１０）水耕栽培用水槽中に骨伝導スピーカを設置し、野菜、果実、麦芽等の作物の成長に好影響を与える音楽を流すことにより、水中波動の刺激を作物に与えることで、付加価値的生産を図ることができる。
【００５６】
（１１）水槽管理システム１００は、低価格なラズベリーパイと言うマイコンやセンサで構成されており、規模が大きくなっても、より安価にシステムを構築することができる。
次に、管理用ＰＣ７のハードウェア構成を説明する。
図４は、実施の形態の管理者用ＰＣのハードウェア構成を示す図である。
【００５７】
管理用ＰＣ７は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００５８】
ＲＡＭ１０２は、管理用ＰＣ７の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００５９】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
【００６０】
ハードディスクドライブ１０３は、内蔵したディスクに対して、磁気的にデータの書き込みおよび読み出しを行う。ハードディスクドライブ１０３は、管理用ＰＣ７の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００６１】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００６２】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００６３】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００６４】
通信インタフェース１０７は、ネットワーク５２に接続されている。通信インタフェース１０７は、ネットワーク５２を介して、制御装置１や、他のコンピュータまたは通信機器との間でデータを送受信する。
以上のようなハードウェア構成によって、本実施の形態の処理機能を実現することができる。
【００６５】
以上、本考案の水槽管理システムを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。例えば、停電時等の電源供給用に前述した制御装置や制御部やデータベースそれぞれにＵＰＳ（Uninterruptible Power Supply：無停電電源装置）が接続されていてもよい。ＵＰＳとしては、例えば５Ｖのリチウム電池２本が挙げられる。リチウム電池により、５Ｖ出力を確保し、各制御部や制御装置を稼働しながら、１００Ｖ電源からの充電も同時に行える。リチウム電池２本のＵＰＳは小型であり、かつ、停電時も数時間は電源を保持できるため、システムの２４時間の稼働が可能になる。
また、本考案は、前述した各実施の形態のうちの、任意の２以上の構成（特徴）を組み合わせたものであってもよい。
【符号の説明】
【００６６】
１  制御装置
２  データベース
３ａ、３ｂ  水温制御部
４ａ、４ｂ  ＥＣ制御部
５  ＰＨ計測部
６  各種計測部
７  管理者用ＰＣ
３０、４０  水槽グループ
１００  水槽管理システム
【図１】
0003230028.tif 000003
【図２】
0003230028.tif 000004
【図３】
0003230028.tif 000005
【図４】
0003230028.tif 000006